(57)【要約】【課題】耐久性に問題を生じさせずに小型化を達成し、従来と同等のフードの持ち上げ量を確保する。【解決手段】車両のフード２の裏面２ａ側に設置するフードリフター１である。フード２の裏面２ａに設置したシリンダ装置３のロッド３ａのフード２の後側への突出により、楔ブロック４をフード２の裏面に沿って移動させる。楔ブロック４の移動時に傾斜面４ｂａがレバー５の一方端５ａを押して下降させることで、リフトアーム６の中央部に設けた軸６ａを支点として他方端部５ｂを上昇させ、フード２の後側を持ち上げる。レバー５の他方端部５ｂの上昇に伴ってリフトアーム６の一方端部６ｂが上昇する際、軸６ａの上昇を許容するように、レバー５の中央部に軸６ａの案内用長孔５ｃを設ける。【効果】フードリフターの小型化が図れる。【選択図】図１
2016016854.tif 000002
【特許請求の範囲】
【請求項１】
車両のフードの裏面側に設置され、車両が衝突した時にフードの後側を持ち上げてフード上に落下した衝突体への衝撃を軽減するフードリフターであって、
フードの後側に向けてロッドが突出するように、フードの裏面に設置したシリンダ装置と、
前記シリンダ装置のロッドの突出時にロッドに押され、フードの裏面に沿ってフードの後側への移動可能に設けた楔ブロックと、
前記楔ブロックのフードの後側への移動時に楔ブロックに設けた傾斜面が一方端を押して前記一方端を前記傾斜面に沿って下降させるのに伴い、中央部を支点としてフードの裏面に回転自在に設置した他方端部が上昇してフードの後側を持ち上げるレバーと、
前記レバーの前記支点となる軸を中央部に設けるとともに、一方端部はフードの裏面に、他方端部はエンジンルームの内壁に、それぞれ回転自在に設置したリフトアームと、
を備え、
前記レバーの他方端部の上昇に伴って前記リフトアームの一方端部が上昇する際、前記リフトアームの一方端部の上昇に伴う中央部の軸の上昇を許容するように、前記レバーの中央部に前記リフトアームの前記軸の案内部を設けたことを特徴とするフードリフター。
【請求項２】
前記楔ブロックは、前記傾斜面に連続する水平面を有するとともに、前記水平面に前記レバーの一方端が位置した時に、前記一方端の移動を阻止する停止壁を設けたことを特徴とする請求項１に記載のフードリフター。
【請求項３】
前記レバーの一方端を、前記レバーの支点及び他方端部を結ぶ直線からオフセットさせたことを特徴とする請求項１又は２に記載のフードリフター。
【請求項４】
前記レバーの中央部に設ける前記案内部は、長孔であることを特徴とする請求項１〜３の何れかに記載のフードリフター。
【請求項５】
前記レバーの中央直線部に設ける前記案内部は、前記梃子レバーの中央直線部の下面側に設けた切欠きであることを特徴とする請求項１〜３の何れかに記載のフードリフター。
【請求項６】
前記リフトアームの他方端の、エンジンルームの内壁に回転自在に設置されている部分は、フードの開閉用回転軸であることを特徴とする請求項１〜５の何れかに記載のフードリフター。
【発明の詳細な説明】
【技術分野】
【０００１】
本発明は、例えば事故の際に、自動車のエンジン等を覆うフード上に投げ出された歩行者に及ぼす衝撃を軽減するために、前記フードの裏側に設置するフードリフターに関するものである。
【背景技術】
【０００２】
例えば自動車事故の発生時、自動車のフード上に歩行者が投げ出される場合がある。この時、フードの後側部分を持ち上げて、エンジンルーム内に搭載されたエンジン等に当接するまでのフードの変形量を大きくすれば、フード上に投げ出された歩行者に及ぼす衝撃を軽減することができる。なお、本願明細書において、「フードの後側」とは、フードのウインドシールド側を言う。
【０００３】
このようなフードの後側部分を持ち上げる手段としてシリンダ装置を使用する従来のフードリフターでは、フードの持ち上げ量とピストンのストロークは同等であった（例えば特許文献１）。
【０００４】
しかしながら、フードの持ち上げ量とピストンのストロークが同等のフードリフターの場合、小型化するのが困難で、エンジン等の多数の部品を搭載したエンジンルームの内壁への取付け位置の制限が多くなる。
【０００５】
そこで、フードの持ち上げ量を確保しつつ小型化を図る、すなわち少ないストロークで持ち上げ量を倍増することが考えられるが、この場合、一般的にはフードリフターへの負荷が大きくなって、フードリフターの耐久性に問題が生じる。
【０００６】
また、フードリフターは、フードを持ち上げた状態をより長く維持することが要求されることから、フードリフターにロック機構を設ける場合もあるが、ロック機構を別途設けることは構造を複雑にして故障やコストアップの要因となる。
【０００７】
さらに、フードリフター自体に持ち上げ量の設定機能やエネルギー吸収量の設定機能を持たせると、車両ごとの開発が必要になって開発コストが増大する。
【先行技術文献】
【特許文献】
【０００８】
【特許文献１】特開２００９−２９２２６２号公報
【発明の概要】
【発明が解決しようとする課題】
【０００９】
本発明が解決しようとする問題点は、フードの持ち上げ量とピストンのストロークが同等の場合、小型化するのが困難で、エンジンルームの内壁への取付け位置の制限が多くなるという点である。
【００１０】
また、フードの持ち上げ量を確保しつつ小型化を図る場合、一般的にはフードリフターへの負荷が大きくなって、フードリフターの耐久性に問題が生じるという点である。
【００１１】
さらに、フードを持ち上げた状態をより長く維持するため、フードリフターにロック機構を別途設ける場合は、構造が複雑になって故障やコストアップの要因となるという点である。
【００１２】
またさらに、フードリフター自体に持ち上げ量の設定機能やエネルギー吸収量の設定機能を持たせると、車両ごとの開発が必要になって開発コストが増大するという点である。
【課題を解決するための手段】
【００１３】
本発明は、前記課題を解決し、耐久性に問題が生じることなく、小型化を達成しつつ、従来と同等のフードの持ち上げ量を確保することを目的としている。
【００１４】
また、本発明は、別途ロック機構を設けることなく、フードを持ち上げた状態をより長く維持できるようにするとともに、容易に車両ごとの要求性能を達成できるようにすることを目的としている。
【００１５】
すなわち、本発明は、
車両のフードの裏面側に設置され、車両が衝突した時にフードの後側を持ち上げてフード上に落下した衝突体への衝撃を軽減するフードリフターであって、
フードの後側に向けてロッドが突出するように、フードの裏面に設置したシリンダ装置と、
前記シリンダ装置のロッドの突出時にロッドに押され、フードの裏面に沿ってフードの後側への移動可能に設けた楔ブロックと、
前記楔ブロックのフードの後側への移動時に楔ブロックに設けた傾斜面が一方端を押して前記一方端を前記傾斜面に沿って下降させるのに伴い、中央部を支点としてフードの裏面に回転自在に設置した他方端部が上昇してフードの後側を持ち上げるレバーと、
前記レバーの前記支点となる軸を中央部に設けるとともに、一方端部はフードの裏面に、他方端部はエンジンルームの内壁に、それぞれ回転自在に設置したリフトアームと、
を備え、
前記レバーの他方端部の上昇に伴って前記リフトアームの一方端部が上昇する際、前記リフトアームの一方端部の上昇に伴う中央部の軸の上昇を許容するように、前記レバーの中央部に前記リフトアームの前記軸の案内部を設けたことを最も主な特徴としている。
【００１６】
本発明では、シリンダ装置のロッドの突出を、支点位置が移動するレバーを介してフードに伝えているので、フードリフターへの負荷の増加を抑制して、ロッドの突出量以上フードを持ち上げることができる。
【００１７】
上記本発明の楔ブロックに、傾斜面と連続する水平面を形成するとともに、前記水平面にレバーの一方端が位置した時に、レバーの一方端の移動を阻止する停止壁を設ければ、別途ロック機構を設けることなく、フードの持ち上げ状態を維持できる。
【００１８】
また、上記本発明のレバーの一方端を、レバーの支点及び他方端部を結ぶ直線からオフセットさせれば、楔ブロックの小型化が可能になる。
【発明の効果】
【００１９】
本発明では、シリンダ装置のロッドの突出を、支点位置が移動するレバーを介してフードに伝えている。従って、小型のシリンダ装置の使用が可能になってフードリフターへの負荷の増加を抑制しつつ、ロッドの突出量以上にフードを持ち上げることができて、フードリフターの小型化が図れる。このとき、レバーの一方端を、レバーの支点及び他方端部を結ぶ直線からオフセットさせれば、楔ブロックの小型化が可能になって、フードリフターの更なる小型化が図れる。
【００２０】
また、本発明では、楔ブロックに傾斜面と連続する水平面を形成し、この水平面にレバーの一方端が到達すれば、フード上面に衝撃が加わった際、レバーから楔ブロックへの荷重方向は楔ブロック底面に対して垂直となる。楔ブロックはフード裏面に押し付けられるだけで車両前後方向へは動くことができずロックされる。別段複雑なロック機構を設けることなく、フードの持ち上げ状態を維持することが可能になる。
【図面の簡単な説明】
【００２１】
【図１】本発明のフードリフターにおける平常時の状態を車両の側面方向から見た図である。
【図２】本発明のフードリフターにおける動作後の状態を車両の側面方向から見た図である。
【図３】本発明のフードリフターの構成要素である楔ブロックの一例を示した図で、（ａ）は斜視図、（ｂ）はフードへの設置状態を車両前方から見た図、（ｃ）はフードへの設置状態を車両前方から見た図、（ｄ）はフードへの設置状態を車両上方から見た図である。
【図４】本発明のフードリフターの構成要素であるレバーの一方端を、レバーの支点及び他方端部を結ぶ直線上にないようにオフセットさせた場合の効果を説明する図で、（ａ）は一方端をオフセットさせた場合、（ｂ）は一方端をオフセットさせない場合である。
【図５】本発明のフードリフターの構成要素であるレバーの案内部の他の例を示した図である。
【発明を実施するための形態】
【００２２】
フードの持ち上げ量とピストンのストロークが同等の場合、フードリフターを小型化するのが困難で、エンジンルームの内壁への取付け位置の制限が多くなる。
【００２３】
本発明は、シリンダ装置のロッドの突出を、支点位置が移動するレバーを介してフードに伝えることで、前記の課題を解決するものである。
【実施例】
【００２４】
以下、本発明を、添付図面を用いて説明する。図１〜図３は本発明のフードリフターの一実施例を説明する図である。
【００２５】
１は、例えば衝突時、自動車のフード２の後側を持ち上げてフード２上に落下した歩行者への衝撃を軽減するために、フード２の裏面２ａ側に設置するフードリフターであり、以下のように構成されている。
【００２６】
３は、フード２の後側に向けてロッド３ａが突出するように、フード２の裏面２ａに設置したシリンダ装置であり、例えば衝突時に作動するインフレータで発生したガスによってロッド３ａが突出する。
【００２７】
４は、前記シリンダ装置３のロッド３ａの突出方向の前方に設置した楔ブロックであり、衝突時、突出するロッド３ａに押され、フード２の裏面２ａに沿ってフード２の後側へ移動するようになされている。
【００２８】
前記楔ブロック４は、例えば図３に示すように、前記ロッド３ａと相対する縦壁と、フード２の裏面２ａと平行な横壁とをＬ字状に形成した板材４ａをリブ４ｂで補強した構成である。そして、前記リブ４ｂのフード２の後側の端面に、後述するレバー５の一方端５ａを押し下げる傾斜面４ｂａを形成している。
【００２９】
また、図３の実施例では、楔ブロック４は、前記ロッド３ａの突出時に、確実に押されて移動するように、板材４ａの縦壁のロッド３ａが当接する位置にロッド３ａの挿入孔４ａａを設けている。また、ロッド３ａが所定量挿入した時点で受け止めるように、リブ４ｂの前記縦壁側には凹部４ｂｂを設けている。
【００３０】
前記楔ブロック４のフード２の裏面２ａに沿う移動は、例えば、板材４ａの横壁の前記裏面２ａと相対する面の両側にＴ字状部材４ａｂを取付け（図３参照）、これらＴ字状部材４ａｂに嵌合する受けレールをフード２の裏面２ａに設置すればよい。
【００３１】
また、図１〜図３の実施例では、楔ブロック４には、傾斜面４ｂａに連続する水平面４ｂｃを形成し、前記水平面４ｂｃに後述するレバー５の一方端５ａが位置した時に、前記一方端５ａの移動を阻止する停止壁４ｂｄを設けている。
【００３２】
５は、例えば直線部分の先端部である他方端部５ｂをフード２の後側の裏面２ａに回転自在に設置したＪ字状のレバーである。前記レバー５は、常時は、湾曲部分の先端である一方端５ａが前記楔ブロック４の傾斜面４ｂａのフード２の裏面に近接する位置となるように、中央部分で支持されている。
【００３３】
そして、楔ブロック４のフード２の後側への移動時に、傾斜面４ｂａがレバー５の一方端５ａを押して傾斜面４ｂａに沿って下降させるのに伴い、中央の支持部を支点として他方端部５ｂが上昇してフード２の後側を持ち上げる。前記フード２の後側の持ち上げ時、レバー５の中央部に設けた長孔５ｃに案内されて支点が移動する。
【００３４】
６は前記レバー５の支点となる軸６ａを中央部に設けたリフトアームであり、一方端部６ｂはフード２の裏面２ａに回転が自在なように設置している。また、他方端部６ｃである、例えばフード２の開閉用回転軸は、エンジンルーム７の内壁７ａに、台座９を介して回転が自在なように設置している。
【００３５】
図１及び図２に示す実施例では、レバー５の他方端部５ｂとリフトアーム６の一方端部６ｂを、フード２の裏面２ａに取付けたブラケット８に、それぞれ回転が自在なように設置している。
【００３６】
上記本発明では、例えば衝突時には、インフレータが作動して高圧ガスを発生し、シリンダ装置３のロッド３ａを突出させる。前記ロッド３ａの突出により、ロッド３ａが楔ブロック４の挿入孔４ａａから凹部４ｂｂに挿入して楔ブロック４を押し、楔ブロック４をフード２の後側に移動させる。
【００３７】
楔ブロック４の前記移動により、リフトアーム６の軸６ａを支点とするレバー５の一方端５ａが傾斜面４ｂａに沿って下降して他方端部５ｂを上昇させ、自動車のフード２の後側をロッド３ａの突出量以上持ち上げる。
【００３８】
この時、本発明では、レバー５の支点位置が移動するようにして、フード２の持ち上げ量を更に増加させている。
【００３９】
レバー５の一方端５ａが水平面４ｂｃに到達した時点で、フード２の持ち上げが完了し、フード２を持ち上げた状態で維持するので、フード２上に歩行者が落下しても、持ち上げたフード２が降下することはない。この時、レバー５の一方端５ａが停止壁４ｂｄに当接するようにしておく。
【００４０】
上記構成の本発明では、小型のシリンダ装置３の使用が可能になってフードリフター１への負荷の増加を抑制しつつ、ロッド３ａの突出量以上にフード２を持ち上げることができる。
【００４１】
また、上記実施例では、レバー５をＪ字状に形成しているので、レバー５の一方端５ａがレバー５の支点及び他方端部５ｂを結ぶ直線上ある場合に比べて楔ブロック４を小型にできる（図４（ａ）（ｂ）参照）。
【００４２】
さらに、レバー５の一方端５ａの位置を変化させることで、てこの効果を調整することができるのと共に、レバー５の剛性を調整するだけで車両ごとの要求性能を得ることができる。
【００４３】
本発明は上記の例に限らず、各請求項に記載された技術的思想の範疇であれば、適宜実施の形態を変更しても良いことは言うまでもない。
【００４４】
すなわち、以上で述べたフードリフターは、本発明の好ましい例であって、これ以外の実施態様も、各種の方法で実施または遂行できる。特に本願明細書中に限定する主旨の記載がない限り、本発明は添付図面に示した詳細な部品の形状、大きさ、および構成配置等に制約されるものではない。また、本願明細書の中に用いられた表現および用語は説明を目的としたもので、特に限定される主旨のない限り、それに限定されるものではない。
【００４５】
例えば、上記実施例では、リフタアーム６の軸６ａの案内をレバー５の中央部に形成した長孔５ｃによって行うものを示している。しかしながら、軸６ａのフード２と相対する外周部分と接する案内面をレバー５に備えさせればよいので、図５に示すように、レバ５ーのフード２と相対しない側に切欠き５ｄを設けたものでも良い。
【００４６】
また、上記実施例では、フード２の裏面２ａに取付けたブラケット８に、レバー５の他方端部５ｂとリフトアーム６の一方端部６ｂをそれぞれ回転が自在なように設置しているが、フード２の裏面２ａに回転が自在なように直接設置してもよい。
【００４７】
また、シリンダ装置３のロッド３ａの先端部をシール部材で覆っておけば、シリンダ装置３の防水性能が安定化する。
【符号の説明】
【００４８】
１    フードリフター
２    フード
２ａ    裏面
３    シリンダ装置
３ａ    ロッド
４    楔ブロック
４ｂａ    傾斜面
４ｂｃ    水平面
４ｂｄ    停止壁
５    レバー
５ａ    一方端
５ｂ    他方端部
５ｃ    長孔
５ｄ    切欠き
６    リフトアーム
６ａ    軸
６ｂ    一方端部
６ｃ    他方端部
７    エンジンルーム
７ａ    内壁
【図１】
2016016854.tif 000003
【図２】
2016016854.tif 000004
【図３】
2016016854.tif 000005
【図４】
2016016854.tif 000006
【図５】
2016016854.tif 000007